(57)【要約】【課題】印刷データを受け付けた場合に、信頼できる現在時刻を印刷する。【解決手段】印刷データを受け付ける印刷データ受付部と、印刷データ受付部が印刷データを受け付けた場合に、現在時刻を送信することにより提供する時刻提供サーバから現在時刻を取得する時刻取得部と、印刷データとともに、時刻取得部により取得された現在時刻を媒体に印刷する印刷部とを備える印刷装置であって、印刷部は、さらに、時刻提供サーバにより提供された現在時刻を印刷したことを示す情報を媒体に印刷する。【選択図】図２
2008120015.tif 000002
【特許請求の範囲】
【請求項１】
印刷データを受け付ける印刷データ受付部と、
前記印刷データ受付部が前記印刷データを受け付けた場合に、現在時刻を送信することにより提供する時刻提供サーバから前記現在時刻を取得する時刻取得部と、
前記印刷データとともに、前記時刻取得部により取得された前記現在時刻を媒体に印刷する印刷部と
を備える印刷装置であって、
前記印刷部は、さらに、前記時刻提供サーバにより提供された前記現在時刻を印刷したことを示す情報を前記媒体に印刷する印刷装置。
【請求項２】
前記印刷部は、前記時刻取得部が前記時刻提供サーバから前記現在時刻を取得できない場合に、前記印刷データの印刷を中止する請求項１に記載の印刷装置。
【請求項３】
前記印刷部は、前記時刻取得部が前記時刻提供サーバから前記現在時刻を取得できない場合に、前記現在時刻を印刷することなく、前記印刷データを前記媒体に印刷する請求項１に記載の印刷装置。
【請求項４】
前記印刷部は、前記時刻取得部により取得された前記現在時刻、および、前記時刻提供サーバにより提供された前記現在時刻を印刷したことを示す情報を、前記印刷データの印刷に重畳して印刷する請求項１に記載の印刷装置。
【請求項５】
前記時刻取得部は、
前記印刷データ受付部が前記印刷データを受け付けた場合に、前記時刻提供サーバから、前記現在時刻に加え、当該現在時刻から算出される算出情報を取得し、
前記印刷部は、
前記時刻取得部が前記時刻提供サーバから前記算出情報を取得した場合に、前記印刷データとともに、前記算出情報を前記媒体に印刷する請求項１に記載の印刷装置。
【請求項６】
前記印刷装置は、
内部時計により現在時刻を格納する時刻格納部をさらに備え、
前記時刻取得部は、
前記時刻提供サーバから前記現在時刻を取得できない場合に、前記時刻格納部に格納されている前記現在時刻を取得し、
前記印刷部は、
前記時刻取得部が前記時刻提供サーバから前記現在時刻を取得できない場合に、前記印刷データとともに、前記時刻取得部により取得された前記時刻格納部に格納されていた前記現在時刻、および、前記時刻格納部に格納されていた前記現在時刻を印刷したことを示す情報を、前記媒体に印刷する請求項１に記載の印刷装置。
【請求項７】
現在時刻を送信することにより提供する時刻提供サーバと、
印刷データを印刷する印刷装置と
を備える印刷システムであって、
前記印刷装置は、
印刷データを受け付ける印刷データ受付部と、
前記印刷データ受付部が前記印刷データを受け付けた場合に、現在時刻を送信することにより提供する時刻提供サーバから前記現在時刻を取得する時刻取得部と、
前記印刷データとともに、前記時刻取得部により取得された前記現在時刻を媒体に印刷する印刷部と
を有し、
前記印刷部は、さらに、前記時刻提供サーバにより提供された前記現在時刻を印刷したことを示す情報を前記媒体に印刷する印刷システム。
【請求項８】
印刷装置に、
印刷データを受け付ける印刷データ受付手順、
前記印刷データ受付手順が前記印刷データを受け付けた場合に、現在時刻を送信することにより提供する時刻提供サーバから前記現在時刻を取得する時刻取得手順、および、
前記印刷データとともに、前記時刻取得手順により取得された前記現在時刻を媒体に印刷する印刷手順
を実行させるプログラムであって、
前記印刷手順は、さらに、前記時刻提供サーバにより提供された前記現在時刻を印刷したことを示す情報を前記媒体に印刷するプログラム。
【発明の詳細な説明】
【技術分野】
【０００１】
本発明は、印刷装置、印刷システムおよびプログラムに関する。特に、本発明は、時刻提供サーバが提供する現在時刻を印刷する印刷装置、印刷システムおよびプログラムに関する。
【背景技術】
【０００２】
ホストコンピュータから時刻情報を受信し、時刻を修正する印刷装置が知られている（例えば、特許文献１参照。）。
【特許文献１】特開平９−２００４１９
【発明の開示】
【発明が解決しようとする課題】
【０００３】
しかしながら、特許文献１に記載の印刷装置は、電源投入時にホストコンピュータから時刻情報を受信するので、印刷装置の電源が常時オンであるときは、時刻の修正がなされないという課題がある。また、前回、当該印刷装置は、ホストコンピュータからの時刻情報を受信できなかった場合に、印刷情報を受信したときに、ホストコンピュータから再度、時刻情報を受信するので、印刷装置の電源が常時オンであるときは、印刷情報を受信したときに時刻の修正がなされないという課題がある。一方、印刷物に印刷時刻を表示したいときに、ホストコンピュータから時刻情報を取得してこれを印刷するようにした場合、ホストコンピュータから取得した時刻は前述のように必ずしも正確でないばかりでなく、容易に操作・改竄可能である。したがって、信頼できる時刻を印刷することができないという課題がある。
【課題を解決するための手段】
【０００４】
上記課題を解決するために、本発明の第１の形態においては、印刷データを受け付ける印刷データ受付部と、印刷データ受付部が印刷データを受け付けた場合に、現在時刻を送信することにより提供する時刻提供サーバから現在時刻を取得する時刻取得部と、印刷データとともに、時刻取得部により取得された現在時刻を媒体に印刷する印刷部とを備える印刷装置であって、印刷部は、さらに、時刻提供サーバにより提供された現在時刻を印刷したことを示す情報を媒体に印刷する。これにより、印刷データを受け付けた場合に、信頼できる現在時刻を印刷することができる。また、印刷された時刻が信頼できる時刻であるという情報を、利用者にわかりやすく示すことができる。
【０００５】
印刷部は、時刻取得部が時刻提供サーバから現在時刻を取得できない場合に、印刷データの印刷を中止してもよい。これにより、印刷をするときは、常に、信頼できる現在時刻を印刷することができる。
【０００６】
印刷部は、時刻取得部が時刻提供サーバから現在時刻を取得できない場合に、現在時刻を印刷することなく、印刷データを媒体に印刷してもよい。これにより、現在時刻を印刷するときは、常に、信頼できる現在時刻を印刷することができる。
【０００７】
印刷部は、時刻取得部により取得された現在時刻、および、時刻提供サーバにより提供された現在時刻を印刷したことを示す情報を、印刷データの印刷に重畳して印刷してもよい。これにより、印刷された現在時刻が信頼できる現在時刻であることを、利用者により分かりやすく示すことができる。
【０００８】
時刻取得部は、印刷データ受付部が印刷データを受け付けた場合に、時刻提供サーバから、現在時刻に加え、当該現在時刻から算出される算出情報を取得し、印刷部は、時刻取得部が時刻提供サーバから算出情報を取得した場合に、印刷データとともに、算出情報を媒体に印刷してもよい。これにより、印刷された現在時刻が信頼できるか否かを印刷後に確認することができる。
【０００９】
印刷装置は、内部時計により現在時刻を格納する時刻格納部をさらに備え、時刻取得部は、時刻提供サーバから現在時刻を取得できない場合に、時刻格納部に格納されている現在時刻を取得し、印刷部は、時刻取得部が時刻提供サーバから現在時刻を取得できない場合に、印刷データとともに、時刻取得部により取得された時刻格納部に格納されていた現在時刻、および、時刻格納部に格納されていた現在時刻を印刷したことを示す情報を、媒体に印刷してもよい。これにより、常に現在時刻を印刷し、印刷した現在時刻の出所を利用者に示すことができる。
【００１０】
上記課題を解決するために、本発明の第２の形態においては、現在時刻を送信することにより提供する時刻提供サーバと、印刷データを印刷する印刷装置とを備える印刷システムであって、印刷装置は、印刷データを受け付ける印刷データ受付部と、印刷データ受付部が印刷データを受け付けた場合に、現在時刻を送信することにより提供する時刻提供サーバから現在時刻を取得する時刻取得部と、印刷データとともに、時刻取得部により取得された現在時刻を媒体に印刷する印刷部とを有し、印刷部は、さらに、時刻提供サーバにより提供された現在時刻を印刷したことを示す情報を媒体に印刷する。これにより、第１の形態と同一の効果を得ることができる。
【００１１】
上記課題を解決するために、本発明の第３の形態においては、印刷装置に、印刷データを受け付ける印刷データ受付手順、印刷データ受付手順が印刷データを受け付けた場合に、現在時刻を送信することにより提供する時刻提供サーバから現在時刻を取得する時刻取得手順、および、印刷データとともに、時刻取得手順により取得された現在時刻を媒体に印刷する印刷手順を実行させるプログラムであって、印刷手順は、さらに、時刻提供サーバにより提供された現在時刻を印刷したことを示す情報を媒体に印刷する。これにより、第１の形態と同一の効果を得ることができる。
【００１２】
なお、上記の発明の概要は、本発明の必要な特徴の全てを列挙したものではなく、これらの特徴群のサブコンビネーションもまた、発明となりうる。
【発明を実施するための最良の形態】
【００１３】
以下、発明の実施の形態を通じて本発明を説明するが、以下の実施形態は特許請求の範囲にかかる発明を限定するものではなく、また実施形態の中で説明されている特徴の組み合わせの全てが発明の解決手段に必須であるとは限らない。
【実施例１】
【００１４】
図１は、印刷システム１０の一例を示す。印刷システム１０は、印刷装置１００、時刻提供サーバ２００を備える。印刷装置１００は、ＵＤＰ（Ｕｓｅｒ  Ｄａｔａｇｒａｍ  Ｐｒｏｔｏｃｏｌ）に対応するＴＣＰ／ＩＰソフトを格納し、ネットワーク７０を介して時刻提供サーバ２００に接続する。ネットワーク７０の一例は、インターネットである。
【００１５】
また、印刷装置１００は、ネットワーク６０を介してパーソナルコンピュータ３００と接続する。ネットワーク６０の一例は、Ｅｔｈｅｒｎｅｔ（ＤＩＸ  Ｅｔｈｅｒｎｅｔ／ＩＥＥＥ８０２．３）（登録商標）である。印刷装置１００は、パーソナルコンピュータ３００から印刷データを受け付けて媒体５０に印刷する。また、印刷装置１００は、ＵＳＢメモリなどの外部記憶媒体８０に格納されたデータを読み取る非図示のインターフェース部を備える。また、印刷装置１００は、時刻提供サーバ２００のＩＰドレレスを格納している。
【００１６】
時刻提供サーバ２００は、現在時刻を格納する。例えば、時刻提供サーバ２００は、ＮＴＰ（Ｎｅｔｗｏｒｋ  Ｔｉｍｅ  Ｐｒｏｔｏｃｏｌ）／ＳＮＴＰ（Ｓｉｍｐｌｅ  Ｎｅｔｗｏｒｋ  Ｔｉｍｅ  Ｐｒｏｔｏｃｏｌ）をサポートするソフトウェアを格納し、ＧＰＳ（Ｇｌｏｂａｌ  Ｐｏｓｉｔｉｏｎｉｎｇ  Ｓｙｓｔｅｍ）から現在時刻を取得する。また例えば、時刻提供サーバ２００は、ＧＰＳから現在時刻を取得した他のサーバから現在時刻を取得してもよい。以下、時刻提供サーバ２００に格納されている現在時刻を「サーバ現在時刻」という。なお、時刻提供サーバ２００は、所定のハッシュ関数によりハッシュ値を算出する機能を備えていてもよい。
【００１７】
図２は、印刷装置１００のブロック図の一例を示す。印刷装置１００は、印刷データ受付部１１０、時刻取得部１２０、印刷部１３０および時刻格納部１５０を備える。時刻格納部１５０は、内部時計により現在時刻を格納する。以下、時刻格納部１５０に格納されている現在時刻を「ローカル現在時刻」という。
【００１８】
印刷データ受付部１１０は、ネットワーク７０を介してパーソナルコンピュータ３００から印刷データを受け付ける。印刷データ受付部１１０は、また、外部記憶媒体８０に記憶された情報を取得して、印刷データとして受け付ける。時刻取得部１２０は、印刷データ受付部１１０が印刷データを受け付けた場合に、時刻提供サーバ２００からサーバ現在時刻を取得する。
【００１９】
印刷部１３０は、時刻取得部１２０がサーバ現在時刻を取得した場合に、印刷データとともにサーバ現在時刻を媒体５０に印刷する。また、印刷部１３０は、サーバ現在時刻を印刷したことを示す情報を媒体５０に印刷する。
【００２０】
時刻取得部１２０は、時刻提供サーバ２００から、サーバ現在時刻に加え、サーバ現在時刻ら算出される算出情報を取得してもよい。印刷部１３０は、時刻取得部１２０が算出情報を取得したときは、取得した算出情報を媒体５０に印刷してもよい。
【００２１】
印刷部１３０は、サーバ現在時刻、サーバ現在時刻を印刷したことを示す情報、および、算出情報を印刷データの印刷に重畳して印刷してもよい。
【００２２】
また、時刻取得部１２０は、サーバ現在時刻を取得できない場合に、時刻格納部１５０に格納されているローカル現在時刻を取得してもよい。印刷部１３０は、時刻取得部１２０がローカル現在時刻を取得したときは、印刷データとともに、取得したローカル現在時刻、および、ローカル現在時刻を印刷したことを示す情報を媒体５０に印刷する。これにより、常に現在時刻を印刷し、印刷した現在時刻の出所を利用者に示すことができる。
【００２３】
時刻取得部１２０は、サーバ現在時刻を取得できない場合に、ローカル現在時刻を取得することにかえて、サーバ現在時刻を取得できないことを示す情報を、印刷部１３０に通知してもよい。印刷部１３０は、サーバ現在時刻を取得できないことを示す情報を通知されたときは、印刷データの印刷を中止してもよい。これにより、印刷をするときは、常に、信頼できる現在時刻を印刷することができる。
【００２４】
また、印刷部１３０は、サーバ現在時刻を取得できないことを示す情報を通知されたときは、印刷データの印刷を中止することにかえて、サーバ現在時刻およびローカル現在時刻を印刷することなく、印刷データを媒体５０に印刷してもよい。これにより、現在時刻を印刷するときは、常に、信頼できる現在時刻を印刷することができる。
【００２５】
外部記憶媒体９０は、印刷データ受付部１１０、時刻取得部１２０、印刷部１３０および時刻格納部１５０の動作を行わせるプログラムを格納する。印刷装置１００は、外部記憶媒体９０に格納された上記プログラムをインストールすることにより、時刻取得部１２０等の動作を行わせてもよい。さらに、他の方法として、印刷装置１００は、そのようなプログラムを、ネットワーク６０またはネットワーク７０を介して取得してもよい。
【００２６】
図３は、印刷システム１０の動作の一例を示すフローチャートである。図４は、サーバ現在時刻等が印刷された媒体５０の一例を示す。図５は、ローカル印刷時刻等が印刷された媒体５０の一例を示す。図６は、サーバ現在時刻等が印刷された媒体５０の一例を示す。図３に示すフローチャートは、印刷装置１００の印刷データ受付部１１０が印刷データを受け付けることにより開始する。なお、本フローチャートの左側は印刷装置１００の動作、右側は時刻提供サーバ２００の動作を示す。
【００２７】
印刷装置１００の印刷データ受付部１１０は、印刷データを受け付けた旨の情報を時刻取得部１２０に通知する。印刷データを受け付けた旨の情報を通知された時刻取得部１２０は、サーバ現在時刻の送信を要求する送信要求を時刻提供サーバ２００に送信する（Ｓ１００）。
【００２８】
時刻提供サーバ２００は、印刷装置１００から送信要求を受信したか否かを判断する（Ｓ１１０）。ステップＳ１１０において、時刻提供サーバ２００は、印刷装置１００から送信要求を受信したと判断した場合に（Ｓ１１０：Ｙｅｓ）、まず、サーバ現在時刻を取得する。時刻提供サーバ２００は、ハッシュ関数と当該サーバ現在時刻とから、当該サーバ現在時刻に関するハッシュ値を算出する（Ｓ１２０）。時刻提供サーバ２００は、当該サーバ現在時刻とステップＳ１２０において算出したハッシュ値を印刷装置１００の時刻取得部１２０に送信する（Ｓ１３０）。
【００２９】
印刷装置１００の時刻取得部１２０は、時刻提供サーバ２００からサーバ現在時刻を受信したか否かを判断する（Ｓ１４０）。ステップＳ１４０において、時刻取得部１２０は、サーバ現在時刻を受信したと判断した場合に（Ｓ１４０：Ｙｅｓ）、サーバ現在時刻を取得したことを示す現在時刻種別「１」とともに、受信したサーバ現在時刻およびハッシュ値を印刷部１３０に受け渡す。
【００３０】
現在時刻種別「１」を受け渡された印刷部１３０は、印刷データ受付部１１０から印刷データを取得する。印刷部１３０は、印刷データとともに、受け渡されたサーバ現在時刻、サーバ現在時刻を印刷したことを示す情報およびハッシュ値を、媒体５０に印刷する（Ｓ１５０）。例えば、印刷部１３０は、図４に示すように、媒体５０の印刷データ表示領域５０２に印刷データ「○○の件・・・」を、現在時刻表示領域５１０にサーバ現在時刻「２００６．１１．０．１  １３：００」を、出所表示領域５５０にサーバ現在時刻を印刷したことを示す情報「サーバ時刻取得／サーバ名「ＴＳ−ＸＸＸ」を、算出情報表示領域５２０にハッシュ値「ＡＢＣＤＥＦ・・・」を印刷する（同ステップ）。そして本フローチャートは終了する。
【００３１】
一方、ステップＳ１１０において、時刻提供サーバ２００は、印刷装置１００から送信要求を受信していないと判断した場合に（Ｓ１１０：Ｎｏ）、ステップＳ１１０に戻り、送信要求を受信するまで待機する。
【００３２】
一方、ステップＳ１４０において、時刻取得部１２０は、サーバ現在時刻を受信していないと判断した場合に（Ｓ１４０：Ｎｏ）、時刻格納部１５０に格納されているローカル現在時刻を取得する（Ｓ１６０）。時刻取得部１２０は、ローカル現在時刻を取得したことを示す現在時刻種別「０」とともに、取得したローカル現在時刻を印刷部１３０に受け渡す。現在時刻種別「０」を受け渡された印刷部１３０は、印刷データ受付部１１０から印刷データを取得する。印刷部１３０は、印刷データとともに、受け渡されたローカル現在時刻、および、ローカル現在時刻を印刷したことを示す情報を媒体５０に印刷する（Ｓ１７０）。例えば、印刷部１３０は、図５に示すように、媒体５０の印刷データ表示領域５０２に印刷データ「○○の件・・・」を、現在時刻表示領域５１０にローカル現在時刻「２００６．１１．０．１  １２：４５」を、出所表示領域５５０にローカル現在時刻を印刷したことを示す情報「ローカル時刻」を印刷する（同ステップ）。そして本フローチャートは終了する。
【００３３】
なお、ステップＳ１５０において、印刷部１３０は、図４に示すように、印刷データ、サーバ現在時刻、サーバ現在時刻を印刷したことを示す情報およびハッシュ値を印刷することにかえて、図６に示すように、媒体５０の印刷データ表示領域５０２に印刷データ「○○の件・・・」、および、算出情報表示領域５２０にハッシュ値「ＡＢＣＤＥＦ・・・」を印刷し、さらに、すかし情報５３０として、サーバ現在時刻「２００６．１１．０．１  １３：００」およびサーバ現在時刻を印刷したことを示す情報「ＣＡ  ＴＳ−ＸＸＸ」を印刷してもよい。なお、すかし情報５３０は、薄い色のインクで印刷することが好ましい。これにより、印刷された現在時刻が信頼できる現在時刻であることを、利用者により分かりやすく示すことができる。
【００３４】
なお、ステップＳ１１０において時刻提供サーバ２００は、例えば、ステップＳ１００において時刻取得部１２０が送信要求を送信していない場合、時刻取得部１２０から送信された送信要求がネットワーク障害等により時刻提供サーバ２００に到達していない場合などに、印刷装置１００から送信要求を受信していないと判断する（Ｓ１１０：Ｎｏ）。
【００３５】
なお、ステップＳ１５０において印刷部１３０は、サーバ現在時刻を印刷したことを示す情報を媒体５０に印刷するが、ステップＳ１３０において時刻提供サーバ２００が、当該情報を時刻取得部１２０に送信し、印刷部１３０は時刻取得部１２０から当該情報を取得してもよい。また、印刷装置１００は、現在時刻種別「１」に対応付けてサーバ現在時刻を印刷したことを示す情報を、現在時刻種別「０」に対応付けてローカル現在時刻を印刷したことを示す情報を格納する非図示の文言格納部を備え、印刷部１３０は受け渡された現在時刻種別に応じて文言格納部から当該情報を取得してもよい。
【００３６】
また、ステップＳ１４０において時刻取得部１２０は、例えば、ステップＳ１００において送信要求を送信していない場合、時刻取得部１２０から送信された送信要求がネットワーク障害等により時刻提供サーバ２００に到達していない場合、ステップＳ１３０において時刻提供サーバ２００から送信されたサーバ現在時刻等がネットワーク障害等により時刻提供サーバ２００に到達していない場合などに、サーバ現在時刻を受信していないと判断する（Ｓ１４０：Ｎｏ）。
【００３７】
なお、本フローチャートにおいて、印刷装置１００は時刻提供サーバ２００のＩＰドレレスにかえて、時刻提供サーバ２００のＵＲＬを格納し、非図示のＤＮＳサーバにより時刻提供サーバ２００のＩＰドレレスを取得してもよい。
【００３８】
なお、本フローチャートにおいて、印刷装置１００は時刻提供サーバ２００のＩＰドレレスまたはＵＲＬに加えて、ネットワーク６０を介して接続する非図示の複数の時刻提供サーバのＩＰアドレスまたはＵＲＬを格納してもよい。この場合、ステップＳ１００において時刻取得部１２０は、時刻提供サーバ２００に接続できない場合には、他の時刻提供サーバに送信要求を送信し（ステップＳ１００）、ステップＳ１４０において時刻取得部１２０は他の時刻提供サーバからサーバ現在時刻を受信したか否かを判断する（Ｓ１４０）。
【００３９】
なお、時刻提供サーバは、送信したサーバ現在時刻およびハッシュ値の組を格納し、印刷装置１００またはパーソナルコンピュータからの問い合わせに応答してもよい。これにより、印刷された現在時刻が信頼できるか否かを印刷後に確認することができる。
【００４０】
また、本フローチャートにおいて、印刷装置１００の時刻取得部１２０は、取得したサーバ現在時刻およびハッシュ値から、取得したサーバ現在時刻が改竄されているか否かを判断し、改竄されていないと判断した場合に、当該サーバ現在時刻およびハッシュ値を印刷部１３０に受け渡し、改竄されていると判断した場合に、時刻格納部１５０に格納されているローカル現在時刻を取得してもよい。さらに、時刻提供サーバ２００は、サーバ名「ＴＳ−ＸＸＸ」とサーバ現在時刻とを結合した文字列からハッシュ値を算出してもよい。そして印刷装置１００の時刻取得部１２０は、サーバ現在時刻、サーバ名およびハッシュ値を時刻提供サーバ２００から取得し、所定の時刻提供サーバ２００からの送信であると判断し、かつ、サーバ現在時刻が改竄されていないと判断した場合に、当該サーバ現在時刻およびハッシュ値を印刷部１３０に受け渡してもよい。
【００４１】
以上、本実施例によれば、印刷データを受け付けた場合に、信頼できる現在時刻を印刷することができる。また、印刷された時刻が信頼できる時刻であるという情報を、利用者にわかりやすく示すことができる。
【００４２】
以上、本発明を実施の形態を用いて説明したが、本発明の技術的範囲は上記実施の形態に記載の範囲には限定されない。上記実施の形態に、多様な変更または改良を加えることが可能であることが当業者に明らかである。その様な変更または改良を加えた形態も本発明の技術的範囲に含まれ得ることが、特許請求の範囲の記載から明らかである。
【図面の簡単な説明】
【００４３】
【図１】印刷システム１０の一例を示す。
【図２】印刷装置１００のブロック図の一例を示す。
【図３】印刷システム１０の動作の一例を示すフローチャートである。
【図４】サーバ現在時刻等が印刷された媒体５０の一例を示す。
【図５】ローカル印刷時刻等が印刷された媒体５０の一例を示す。
【図６】サーバ現在時刻等が印刷された媒体５０の一例を示す。
【符号の説明】
【００４４】
１０  印刷システム、５０  媒体、６０  ネットワーク、７０  ネットワーク、８０  外部記憶媒体、９０  外部記憶媒体、１００  印刷装置、１１０  印刷データ受付部、１２０  時刻取得部、１３０  印刷部、１５０  時刻格納部、２００  時刻提供サーバ、３００  パーソナルコンピュータ、５０２  印刷データ表示領域、５１０  現在時刻表示領域、５２０  算出情報表示領域、５３０  すかし情報、５５０  出所表示領域
【図１】
2008120015.tif 000003
【図２】
2008120015.tif 000004
【図３】
2008120015.tif 000005
【図４】
2008120015.tif 000006
【図５】
2008120015.tif 000007
【図６】
2008120015.tif 000008